(57)【要約】【課題】遊技機本体に対し扉体を容易に着脱できるようにする蝶番組付構造を提供する。【解決手段】本体１の開口縁寄りの内周面にビス４止される取付基部材３と、扉体２の一側縁寄りの内面に一方の取着部６がビス７止される蝶番５とからなり、該蝶番の他方の取着部８を角筒状に形成するとともに、前記取付基部材にその角筒状の取着部８を挿入し得る角筒状部１０を形成し、該角筒状部に該取着部８を挿入状態で係脱し該取着部８の抜脱を防ぎ得るロックレバー１２を設ける。また、蝶番５に両取着部６，８を所定角度の開状態に保持する巻きバネ２２等の手段を設ける。【選択図】図１
2005168671.tif 000002
【特許請求の範囲】
【請求項１】
本体の開口縁寄りの内周面にビス止される取付基部材と、扉体の一側縁寄りの内面に一方の取着部がビス止される蝶番とからなり、該蝶番の他方の取着部を角筒状に形成するとともに、前記取付基部材にその角筒状の取着部を挿入し得る角筒状部を形成し、該角筒状部に該取着部を挿入状態で係脱し該取着部の抜脱を防ぎ得るロックレバーを設けてなることを特徴とした遊技機における蝶番組付構造。
【請求項２】
蝶番に両取着部を所定角度の開状態に保持する手段を設けた請求項１に記載の遊技機における蝶番組付構造。
【請求項３】
蝶番は、一方の取着部に略水平に設けられた受基板部と、他方の取着部に設けられ該受基板部上に摺動可能に重合される摺動板部と、該受基板部と摺動板部とを連結する１つのリンクとからなり、受基板部の上面にピンを突設し、該ピンが遊嵌する案内溝を前記摺動板部に形成し、扉体の開閉時に前記リンクと該案内溝とにより摺動板部の動きを規制するものである請求項１または２に記載の遊技機における蝶番組付構造。
【発明の詳細な説明】
【技術分野】
【０００１】
本発明はパチンコ機等の遊技機の本体に前面板等の扉体を開閉可能に枢着させる蝶番の組付構造に関するものである。
【背景技術】
【０００２】
周知のようにパチンコ機の前面板は蝶番によって木枠に対して開閉可能に枢着されており、その蝶番としては従来から下記特許文献１およびその他の特許文献により知られている。
【特許文献１】特許第３０７５４９２号公報
【０００３】
また、本出願人が特願２００３−１８３３５３によりすでに特許出願した蝶番機構の発明は、受基板と摺動板と１つのリンクおよびピンとから構成され、少ない部品点数で構成されるので製作コストを軽減できるとともに、扉体が常に隙間なく閉じられ、ピアノ線、針金等を侵入させ内部操作をするような不正行為が防止されるようにしたものである。
【発明の開示】
【発明が解決しようとする課題】
【０００４】
ところで、遊技機の扉体は、パチンコ機の前面板のように主要部品が取り付けられていることから、重量が重く取り扱い難いものであるので、該扉体に設けられた上記蝶番を遊技機の本体にビスで固定しようとする作業が非常に難しく、工場での作業は可能であっても遊技場に据え付けられてから扉体を本体から着脱することは容易ではなかった。
【０００５】
そこで本発明は、遊技機本体に対し扉体を容易に着脱できるようにする蝶番組付構造を提供しようとするものである。
【課題を解決するための手段】
【０００６】
上記課題を解決するために請求項１に記載の遊技機における蝶番組付構造は、本体の開口縁寄りの内周面にビス止される取付基部材と、扉体の一側縁寄りの内面に一方の取着部がビス止される蝶番とからなり、該蝶番の他方の取着部を角筒状に形成するとともに、前記取付基部材にその角筒状の取着部を挿入し得る角筒状部を形成し、該角筒状部に該取着部を挿入状態で係脱し該取着部の抜脱を防ぎ得るロックレバーを設けてなることを特徴とする。
【０００７】
また、請求項２に記載の発明は、上記蝶番組付構造において、蝶番に両取着部を所定角度の開状態に保持する手段を設けたことを特徴とする。
【０００８】
また、請求項３に記載の発明は、上記蝶番組付構造において、蝶番は、一方の取着部に略水平に設けられた受基板部と、他方の取着部に設けられ該受基板部上に摺動可能に重合される摺動板部と、該受基板部と摺動板部とを連結する１つのリンクとからなり、受基板部の上面にピンを突設し、該ピンが遊嵌する案内溝を前記摺動板部に形成し、扉体の開閉時に前記リンクと該案内溝とにより摺動板部の動きを規制するものであることを特徴とする。
【発明の効果】
【０００９】
請求項１に記載の蝶番組付構造では、取付基部材を本体に予めビス止し、蝶番の一方の取着部を扉体に予めビス止しておくことにより、蝶番の他方の取着部を取付基部材の角筒状部に挿入するだけで、本体から扉体を簡単に着脱することができる。
【００１０】
請求項２に記載の蝶番組付構造では、蝶番の他方の取着部が揺動しないことから該取着部を取付基部材の角筒状部に挿入し易くなり、一人でも取付作業が容易にできるようになる。
【００１１】
請求項３に記載の蝶番では、扉体を拡角度に開けることができ遊技機のメンテナンス作業がし易くなる。
【実施例１】
【００１２】
図面は本発明に係る蝶番組付構造の実施例をパチンコ機について示すものであり、図１はその遊技機本体（木枠）１から扉体（前面板）２を離脱した状態の斜視図である。３は図２にも示したように該本体１の開口縁寄りの内周面にビス４により止着された取付基部材、５は図３にも示したように扉体２の一側縁寄りの内面に突設されたボス２ａに一方の取着部６をビス７により止着し、他方の取着部８は鋼板を横断面コ字状に折曲加工することにより角筒状に形成してなる蝶番である。なお、該取着部８の先端部８ａは鋼板を内向きに傾斜させることにより先細状に形成されている。また、８ｂは該取着部８内に切欠起立形成した係合片である。また、図２に示す符号９は、一辺が本体１の開口縁より僅かに突出するようにビス９ａによって止着した帯状板で、該帯状板によって本体１の開口縁と扉体との隙間を無くし、不正の目的でピアノ線、針金等を侵入できないようにしている。
【００１３】
取付基部材３には鋼板を折曲加工することにより前方に開口した角筒状部１０が形成されている。該角筒状部１０は前記取着部８を挿入し得るように、内径が該取着部８よりも少し大きめに形成され、その前端縁に内径をハ字状に拡開させて案内壁１０ａを形成している。また、該角筒状部の外側に軸受片１１を一体に折曲加工で形成し、該軸受片に軸部１２ｂを挿通することで合成樹脂製のロックレバー１２を水平面内で回転自在なるように軸支している。該ロックレバー１２は一端が角筒状部１０の側面に形成された窓孔１０ｂより該角筒状部１０中に突出し、該突出部分に湾曲状部１２ａを形成するとともに、該ロックレバー１２の他端に鉤状係合部１２ｃを形成してなるものである。なお、図４に示したように、１２ｄは軸部１２ｂに巻掛状に設けた巻きバネで、該巻きバネがロックレバー１２を常態で図４に矢印で示したように起立状態を保つように付勢する。
【００１４】
次に蝶番５の構造を説明する。この蝶番５は前記取着部８を構成する鋼板を略水平に延長することにより形成された受基板部１３と、前記取着部６に一体に設けられ該受基板部１３上に摺動可能に重合される鋼板からなる摺動板部１４と、該受基板部１３と摺動板部１４とを連結する１つのリンク１５とからなり、該受基板部の上面にピン１６を突設し、該ピン１６が遊嵌する案内溝１７を該摺動板部１４に形成している。
【００１５】
１８はリンク１５の基端部が枢着された支軸で、該支軸１８は受基板部１３の鋼板をコ字状に折曲加工することにより該受基板部１３の下側に平行に形成された軸支部１９により垂直に支持されている。また、リンク１５は同じく機械的強度を有し得るように鋼板をコ字状に折曲加工することにより形成され、該リンク１５の他端部を支軸２０に枢着し、該支軸２０を摺動板部１４と同じく機械的強度を有し得るように該摺動板部１４をコ字状に折曲加工することにより該摺動板部１４の下側に平行に形成された軸支部２１により垂直に支持してなる。２２は両端部を支軸２０の上方突出端とピン１６の上方突出端に夫々止着した巻きバネで、該巻きバネ２２はその弾性により支軸２０とピン１６とを遠ざけようとするように付勢することにより、該蝶番の両取着部６，８が開状態に保持されるようにしている。なお、前記案内溝１７は扉体２の自由端２ｂ側に膨らみを有する略１／４円弧状に形成される。
【００１６】
しかしてこの蝶番組付構造では、取付基部材３を本体１に予め工場にてビス４により止着し、蝶番の一方の取着部６を扉体２に予め工場にてビス７により止着しておくことにより、本体１を遊技場に設置した後では、図１に示したように、扉体２を持ち上げて該蝶番の取着部８を取付基部材３の角筒状部１０に合致させ挿入することができ、その際ロックレバー１２は巻きバネ１２ｄの弾性により起立状態に保たれているので湾曲状部１２ａが係合片８ｂに衝突することはない。そして、取着部８を角筒状部１０に挿入できたところで該ロックレバー１２を回転させ図５に示したように湾曲状部１２ａを取着部８の内面および係合片８ｂに係合させ鉤状係合部１２ｃを支軸２０に係合することにより該取着部８の抜脱を防ぎ固定する。このため遊技場では、取着部８を角筒状部１０に挿入しロックレバー１２を係合操作するだけで本体１に対し扉体２を簡単に装着できる。また、ロックレバー１２の鉤状係合部１２ｃを支軸２０から離脱させ該ロックレバー１２を反対向きに回転させ、湾曲状部１２ａを取着部８の内面および係合片８ｂから離脱させてその固定を解除し、扉体２を本体１から引き離せば取着部８が角筒状部１０から抜脱し、扉体２を本体１から簡単に取り外すことができる。このため、メンテナンスや交換作業を容易にする。
【００１７】
またこの蝶番では、図８に扉体２を閉じた状態を示したように、扉体２を開閉操作したとき、ピン１６は案内溝１７に沿ってのみ移動し、一方、支軸２０はリンク１５に拘束されて支軸１８を曲率中心とする円弧状軌跡のみを移動し得るので、摺動板部１４、即ち、扉体２の動きがこれらにより規制されて図７に示した全開状態に変化する。そして、扉体２の基端２ｃ側はリンク１５が設けられ円弧状軌跡を動くことから、開閉途中および全開状態時にも本体１の側面からはみ出すことがない。このため、扉体２の開閉が隣接する遊技機等を邪魔するおそれがない。
【００１８】
なお、巻きバネ２２は、両取着部６，８を開状態に付勢していることから、図１に示したような取付時に一方の取着部８を無用に揺動させない。このため該取着部８を角筒状部１０に容易に合致挿入せられ、扉体２の装着を作業者一人でも簡単にできるようにする。
【図面の簡単な説明】
【００１９】
【図１】本発明の実施例を示す遊技機本体と扉体の分離状態の斜視図。
【図２】図１における遊技機本体の取付基部材の拡大斜視図。
【図３】図１における扉体の蝶番の拡大斜視図。
【図４】図１の要部の水平線断面図。
【図５】本発明の実施例を示す遊技機本体に扉体を装着した状態の要部の水平線断面図。
【図６】本発明の実施例を示す遊技機本体に扉体を装着した状態の要部の拡大斜視図。
【図７】図６の要部の水平線断面図。
【図８】図７の扉体を閉じたときの水平線断面図。
【符号の説明】
【００２０】
１            本体
２            扉体
３            取付基部材
４，７        ビス
５            蝶番
６            取着部
８            取着部
１０          角筒状部
１１          軸受片
１２          ロックレバー
１３          受基板部
１４          摺動板部
１５          リンク
１６          ピン
１７          案内溝
１８，２０    支軸
２２          巻きバネ
【図１】
2005168671.tif 000003
【図２】
2005168671.tif 000004
【図３】
2005168671.tif 000005
【図４】
2005168671.tif 000006
【図５】
2005168671.tif 000007
【図６】
2005168671.tif 000008
【図７】
2005168671.tif 000009
【図８】
2005168671.tif 000010